(57)【要約】【課題】一つのＳＩＭカードを複数のデバイスで使用する際の利便性を向上させることができる受信装置及び送信装置を提供する。【解決手段】実施形態によれば、受信装置は、第１の無線通信を行う第１の無線通信手段と、第２の無線通信を行う第２の無線通信手段と、前記第２の無線通信により受信した、前記第１の無線通信に用いる認証情報を記憶する記憶手段と、前記記憶手段に記憶された前記認証情報を用いて前記第１の無線通信手段で前記第１の無線通信を行い、前記第１の無線通信が終了すると前記認証情報を前記記憶手段から削除する制御手段とを有する。【選択図】  図１
2012160908.tif 000002
【特許請求の範囲】
【請求項１】
第１の無線通信を行う第１の無線通信手段と、
第２の無線通信を行う第２の無線通信手段と、
前記第２の無線通信により受信した、前記第１の無線通信に用いる認証情報を記憶する記憶手段と、
前記記憶手段に記憶された前記認証情報を用いて前記第１の無線通信手段で前記第１の無線通信を行い、前記第１の無線通信が終了すると前記認証情報を前記記憶手段から削除する制御手段と
を有する受信装置。
【請求項２】
前記制御手段は、前記第１の無線通信の開始を要求する信号を受信した場合に、前記第２の無線通信を確立させる請求項１に記載の受信装置。
【請求項３】
前記制御手段は、周辺に位置している複数の通信装置の中から通信相手を選択して前記第２の無線通信を確立させる請求項２に記載の受信装置。
【請求項４】
前記制御手段は、予め登録している通信相手と前記第２の無線通信を確立させる請求項２に記載の受信装置。
【請求項５】
第１の無線通信を行う第１の無線通信手段と、
他の通信装置と第２の無線通信を行う第２の無線通信手段と、
前記第１の無線通信に用いる認証情報を前記第２の無線通信を介して前記通信装置に送信し、前記認証情報送信後は前記第１の無線通信を通信不可にする制御手段と、を有する送信装置。
【請求項６】
前記制御手段は、前記通信装置から前記認証情報を用いた前記第１の無線通信を終了した旨を示す通知を前記第２の無線通信を介して受信した場合、前記第１の無線通信を通信可能にする請求項５に記載の送信装置。
【発明の詳細な説明】
【技術分野】
【０００１】
本発明の実施形態は、受信装置及び送信装置に関する。
【背景技術】
【０００２】
一般的に、ＳＩＭ（Ｓｕｂｓｃｒｉｂｅｒ  Ｉｄｅｎｔｉｔｙ  Ｍｏｄｕｌｅ）情報を記憶したカード（ＳＩＭカード）を用いた携帯端末などでは、ＳＩＭカード内の認証情報を用いて、契約したキャリアの通信回線に接続する。
【０００３】
キャリアと通信可能な各通信端末の間で、ＳＩＭ情報を交換しあい、それぞれの属している通信回線に接続する技術が開示されている（特許文献１参照）。
【先行技術文献】
【特許文献】
【０００４】
【特許文献１】特開２００８−１１４１６号公報
【発明の概要】
【発明が解決しようとする課題】
【０００５】
近年、ＳＩＭカードのロック解除機能が普及し、一つのＳＩＭカードを複数のデバイスに装着して使用することが可能となっている。この状況において、使用するデバイスを替える際、ＳＩＭカードを差し替える動作を省略し利便性の向上を図ることが考えられる。
【０００６】
本発明の目的は、一つのＳＩＭカードを複数のデバイスで使用する際の利便性を向上させることができる受信装置及び送信装置を提供することである。
【課題を解決するための手段】
【０００７】
本発明の実施形態によれば、受信装置は、第１の無線通信を行う第１の無線通信手段と、第２の無線通信を行う第２の無線通信手段と、前記第２の無線通信により受信した、前記第１の無線通信に用いる認証情報を記憶する記憶手段と、前記記憶手段に記憶された前記認証情報を用いて前記第１の無線通信手段で前記第１の無線通信を行い、前記第１の無線通信が終了すると前記認証情報を前記記憶手段から削除する制御手段とを有する。
【０００８】
また、本発明の実施形態によれば、送信装置は、第１の無線通信を行う第１の無線通信手段と、他の通信装置と第２の無線通信を行う第２の無線通信手段と、前記第１の無線通信に用いる認証情報を前記第２の無線通信を介して前記通信装置に送信し、前記認証情報送信後は前記第１の無線通信を通信不可にする制御手段とを有する。
【図面の簡単な説明】
【０００９】
【図１】本実施形態における通信システムの構成図。
【図２】本実施形態におけるパーソナルコンピュータの機能ブロック図。
【図３】本実施形態における携帯端末の機能ブロック図。
【図４】本実施形態における通信制御のシーケンス図。
【図５】本実施形態におけるパーソナルコンピュータの通信制御手順を示すフローチャート。
【図６】本実施形態における携帯端末の通信制御手順を示すフローチャート。
【発明を実施するための形態】
【００１０】
以下、図面を参照して、本発明の実施形態について説明する。
図１は、本発明の一実施形態に係る通信システムの構成を示す図である。通信システムは、ＳＩＭ（Ｓｕｂｓｃｒｉｂｅｒ  Ｉｄｅｎｔｉｔｙ  Ｍｏｄｕｌｅ）カードが装着されていない受信装置と、ＳＩＭカードが装着されている送信装置とから構成される。本実施の形態の通信システムは、受信装置であるパーソナルコンピュータ１と、ＳＩＭカード１０１を備える送信装置である携帯端末１００とから構成されている。ＳＩＭカード１０１には、例えば第３世代（３Ｇ）通信を行うための認証情報（ＳＩＭカード情報）が格納され、ＳＩＭカード情報を用いて通信事業者の基地局２００と３Ｇ通信を行う。
【００１１】
図１に示すように、ＳＩＭカードを備えていないパーソナルコンピュータ１は、ＳＩＭカード１０１を備える携帯端末１００から、近距離無線通信を介してＳＩＭカード情報を受信する。近距離無線通信としては、例えばＢｌｕｅｔｏｏｔｈ（登録商標：以下ＢＴとも称す）通信が挙げられる。ＢＴにおいては、２．４ＧＨｚ〜２．５ＧＨｚの周波数帯域が用いられる。パーソナルコンピュータ１は、ＳＩＭカード情報記憶部２４に受信したＳＩＭカード情報を格納し、格納したＳＩＭカード情報を用いて基地局２００との間で３Ｇ通信を行う。３Ｇ通信方式においては、例えば、１．９２ＧＨｚ〜２．１７ＧＨｚの周波数帯域が用いられる。
【００１２】
図２は、本実施の形態におけるパーソナルコンピュータ１の機能ブロック図である。本実施の形態におけるパーソナルコンピュータ１は、ディスプレイ３ａと、キーボード５と、タッチパッド６と、電源スイッチ７と、ＣＰＵ（Ｃｅｎｔｒａｌ  Ｐｒｏｃｅｓｓｉｎｇ  Ｕｎｉｔ）１０と、ノースブリッジ１１と、主メモリ１２と、グラフィックスコントローラ１３と、ＶＲＡＭ１４（Ｖｉｄｅｏ  Ｒａｎｄｏｍ  Ａｃｃｅｓｓ  Ｍｅｍｏｒｙ）と、サウスブリッジ１５と、ＨＤＤ（Ｈａｒｄ  Ｄｉｓｋ  Ｄｒｉｖｅ）１６と、ＢＩＯＳ−ＲＯＭ（Ｂａｓｉｃ  Ｉｎｐｕｔ  Ｏｕｔｐｕｔ  Ｓｙｓｔｅｍ  Ｒｅａｄ  Ｏｎｌｙ  Ｍｅｍｏｒｙ）１７と、ＥＣ／ＫＢＣ（Ｅｍｂｅｄｄｅｄ  Ｃｏｎｔｒｏｌｌｅｒ／Ｋｅｙｂｏａｒｄ  Ｃｏｎｔｒｏｌｌｅｒ）１８と、電源コントローラ１９と、バッテリ２０と、ＡＣアダプタ２１と、３Ｇ通信部２２と、ＢＴ通信部２３と、ＳＩＭカード情報記憶部２４とを備えている。
【００１３】
ディスプレイ３ａは、グラフィックスコントローラ１３からの映像信号に基づいて、映像を表示する。
キーボード５及びタッチパッド６は、ユーザの操作に応じて、パーソナルコンピュータ１に各種の操作信号を入力する入力デバイスである。
電源スイッチ７は、ユーザによる操作に応じてパーソナルコンピュータ１をパワーオン／パワーオフする制御信号を入力する。
ＣＰＵ１０は、本パーソナルコンピュータ１の動作を制御するために設けられたプロセッサであり、ＨＤＤ１６から主メモリ１２にロードされる、オペレーティングシステム及び各種アプリケーションプログラムを実行する。またＣＰＵ１０は、ＢＩＯＳ−ＲＯＭ１７に格納されたシステムＢＩＯＳを主メモリ１２にロードした後、実行する。システムＢＩＯＳはハードウェア制御のためのプログラムである。
【００１４】
ノースブリッジ１１は、ＣＰＵ１０のローカルバスとサウスブリッジ１５との間を接続するブリッジデバイスである。ノースブリッジ１１には主メモリ１２をアクセス制御するメモリコントローラも内蔵されている。またノースブリッジ１１はＡＧＰ（Ａｃｃｅｌｅｒａｔｅｄ  Ｇｒａｐｈｉｃｓ  Ｐｏｒｔ）バス等を介してグラフィックスコントローラ１３との通信を実行する機能も有している。
【００１５】
主メモリ１２は、ＨＤＤ１６に記憶されるオペレーティングシステム及び各種アプリケーションプログラムや、ＢＩＯＳ−ＲＯＭ１７に格納されたシステムＢＩＯＳを展開されるためのいわゆるワーキングメモリである。
【００１６】
本実施の形態においては主メモリ１２において、ＯＳ１００と、アプリケーションプログラム１１０と、通信制御プログラム１２０とが展開される。通信制御プログラム１２０が実行されることにより、ユーザ操作により３Ｇ通信開始を示す信号を受信した場合にＢＴ通信を介してＳＩＭカード１０１を備えるデバイスに対するＳＩＭカード情報１０１ａを要求するコマンドを送信し、受信したＳＩＭカード情報１０１ａを記憶し、記憶したＳＩＭカード情報１０１ａを用いて３Ｇ通信を実行し、３Ｇ通信終了後記憶したＳＩＭカード情報１０１ａを削除する等の各種制御がなされる。
【００１７】
グラフィックスコントローラ１３は、本コンピュータのディスプレイモニタとして使用されるディスプレイ３ａを制御する表示コントローラである。このグラフィックスコントローラ１３はオペレーティングシステム／アプリケーションプログラムによってＶＲＡＭ１４に描画された表示データから、ディスプレイ３ａに表示すべき表示イメージを形成する映像信号を生成する。
【００１８】
サウスブリッジ１５は、ＢＩＯＳ−ＲＯＭ１７へのアクセスや、ＨＤＤ１６及びＯＤＤ（Ｏｐｔｉｃａｌ  Ｄｉｓｋ  Ｄｒｉｖｅ）等のディスクドライブ（Ｉ／Ｏデバイス）の制御を行う。また本実施の形態においては、３Ｇ通信部２２と、ＢＴ通信部２３と、ＳＩＭカード情報記憶部２４とが接続されている。
【００１９】
ＨＤＤ１６は、オペレーティングシステム及び各種アプリケーションプログラム等を記憶する記憶装置である。
ＢＩＯＳ−ＲＯＭ１７はハードウェア制御のためのプログラムであるシステムＢＩＯＳを格納する書き換え可能な不揮発性メモリである。
ＥＣ／ＫＢＣ１８は、入力デバイスとして備えられるキーボード５及びタッチパッド６の制御を行う。ＥＣ／ＫＢＣ１８はパーソナルコンピュータ１のシステム状況に関わらず、各種のデバイス（周辺機器、センサ、電源回路等）を監視し制御するワンチップ・マイコンである。またＥＣ／ＫＢＣ１８は、ユーザによる電源スイッチ７の操作に応じて、電源コントローラ１９と共同して、本パーソナルコンピュータ１をパワーオン／パワーオフする機能を有している。
【００２０】
電源コントローラ１９は、外部電源がＡＣアダプタ２１を介して供給されている場合、ＡＣアダプタ２１から供給される外部電源を用いてパーソナルコンピュータ１の各コンポーネントに供給すべきシステム電源を生成する。また、電源コントローラ１９は、外部電源がＡＣアダプタ２１を介して供給されていない場合、バッテリ２０を用いてパーソナルコンピュータ１の各コンポーネント（コンピュータ本体２、及びディスプレイユニット３）に供給すべきシステム電源を生成する。
【００２１】
３Ｇ通信部２２は、３Ｇアンテナ２２ａを介して通信事業者の基地局２００と所定の周波数帯域による電波の送受信を行う。また、３Ｇ通信部２２は、ＳＩＭカード情報記憶部２４に記憶されているＳＩＭカード情報を用いて基地局２００と通信を確立させる。
【００２２】
ＢＴ通信部２３は、ＢＴアンテナ２３ａを介して、ＢＴデバイスとの間でＢＴ通信を行う。３Ｇ通信を所望する場合、ＢＴ通信を介してＳＩＭカード情報１０１ａを有するデバイスにＳＩＭカード情報要求通知を送信し、ＳＩＭカード情報１０１ａを受信する。
【００２３】
ＳＩＭカード情報記憶部２４は、ＢＴ通信部２３で受信したＳＩＭカード情報１０１ａを記憶する。ＳＩＭカード情報記憶部２４は、追加したハードウェアに設けられるとしても良いし、主メモリ１２内に設けられるとしても良い。通信制御プログラム１２０が実行されることにより、ＳＩＭカード情報記憶部２４に記憶されたＳＩＭカード情報１０１ａは３Ｇ通信が終了すると削除される。
【００２４】
図３は、本実施形態における携帯端末１００の機能ブロック図である。
携帯端末１００は、ＳＩＭカード１０１と、３Ｇ通信部１０２と、通話制御部１０３と、マイクロホン１０４と、受話用スピーカ１０５と、表示部１０６と、メモリ１０７と、操作入力部１０８と、ＢＴ通信部１０９と、制御部１１０と、バイブレータ１１１と、ＬＥＤ１１２と、効果音用スピーカ１１３と、呼制御モジュール１１４とを備えている。
【００２５】
ＳＩＭカード１０１は、携帯端末１００に設けられるＳＩＭカードスロットに着脱可能に設けられる。このＳＩＭカード１０１には、３Ｇ通信を行うために必要な認証情報であるＳＩＭカード情報１０１ａが格納されている。
【００２６】
３Ｇ通信部１０２は、３Ｇアンテナ１０２ａを介して基地局２００と所定の周波数帯域による電波の送受信を行う。３Ｇ通信部１０２は、ＳＩＭカード１０２からＳＩＭカード情報１０１ａを読み出し、基地局２００と通信を確立させる。
【００２７】
通話制御部１０３は、制御部１１０による通信プロトコル制御によって確立された通話チャンネルを用いて送信される信号を復調すると共に送信する信号を変調することによって相手側との通話経路を形成する。
【００２８】
マイクロホン１０４は、外部音声を集音して電気信号に変換し、当該変換した音声信号を通話制御部１０３によって形成された通話経路に送出する。
受話用スピーカ１０５は、通話制御部１０３によって形成された通話経路より送出された音声信号を外部に放音する。
表示部１０６は、制御部１１０の制御のもとで各種情報の表示を行う。着信があった場合やアラーム設定時刻になった場合には、その旨の表示をする。
メモリ１０７は、制御部１１０が実行するアプリケーションや、電話帳データ、メールデータ等の各種データを格納する。本実施の形態においては、通信制御プログラム１５０を格納する。
【００２９】
操作入力部１０８は、電話番号等を入力する数字キーや各種機能を動作させる機能キー等からなる。
ＢＴ通信部１０９は、ＢＴアンテナ１０９ａを介して、ＢＴデバイスとの間でＢＴ通信を行う。本実施の形態においてはパーソナルコンピュータ１のＢＴ通信部２３とＢＴ通信を行い、ＳＩＭカード情報１０１ａを送信する。
【００３０】
制御部１１０は、携帯端末１００の他の機能部を制御することで携帯端末１００全体の制御を行う。制御部１１０は、３Ｇ通信部１０２における通信プロトコル制御及びユーザインタフェース等の制御を行う。更に制御部１１０は、３Ｇ通信部１０２から着信を示す信号を受信すると、バイブレータ１１１、ＬＥＤ１１２、効果音用スピーカ１１３、表示部１０６等の報知デバイスにより着信を報知する。また、アラームやスケジュール機能に関するアプリケーションを実行することにより、報知するべきイベントが発生した場合には上記の報知デバイスを用いて報知する。
【００３１】
また、通信制御プログラム１５０を実行することにより、ＳＩＭカード１０１を備えていないデバイス（パーソナルコンピュータ１）からＢＴ通信を介してＳＩＭカード情報１０１ａ要求通知を受信した場合にＳＩＭカード情報１０１ａを送信したり、ＳＩＭカード情報１０１ａの送信終了後ＳＩＭカード１０１をロックしたり、送信先デバイスから３Ｇ通信終了通知を受信した場合にＳＩＭカード１０１のロックを解除する等の制御を行う。
【００３２】
バイブレータ１１１は、携帯端末１００筐体内に収容され、報知イベントに伴って振動する。一般的にはモータの軸に重心を偏らせた重りを取り付けて回転させることで振動を発生させる。
【００３３】
ＬＥＤ１１２は、携帯端末１００筐体表面に露出するように設けられ、報知イベントに伴って発光する。
効果音用スピーカ１１３は、携帯端末１００筐体内に収容され、報知イベントに伴って音声出力をする。
呼制御モジュール１１４は、報知するべきイベントに応じて、バイブレータ１１１、ＬＥＤ１１２、効果音用スピーカ１１３、表示部１０６の報知デバイスの動作を制御する。
【００３４】
図４は、本実施形態における通信制御のシーケンス図である。図４においては、ＳＩＭカード１０１を装着した携帯端末１００からＳＩＭカード情報１０１ａをパーソナルコンピュータ１へ送出し、パーソナルコンピュータ１で３Ｇ通信を行う場合を例に説明する。
【００３５】
まず、携帯端末１００とパーソナルコンピュータ１との間でＢＴ通信を確立する（ステップＳ１）。例えば、片方のデバイスから周辺に接続相手が存在するか問い合わせ（ｉｎｑｕｉｒｙ）、応答があったデバイスの中から選択することでＢＴ通信を確立する。または、ユーザが所有しているデバイス同士を、予めＢＴ通信を行うデバイスとして登録しておくとしても良い。既にＢＴ通信を確立している場合には、ステップＳ１は省略する。次に、パーソナルコンピュータ１から携帯端末１００へ、ＳＩＭカード情報要求の通知を、ＢＴ通信を介して送信する（ステップＳ２）。
【００３６】
次に、携帯端末１００とパーソナルコンピュータ１それぞれにおいてユーザ認証を行う（ステップＳ３）。ＳＩＭカード情報１０１ａは３Ｇ通信を行う場合に必要となる認証情報を含むため、ＳＩＭカード情報１０１ａの送受信を行う場合には両デバイスにおいてＰＩＮコード入力等を伴うユーザ認証を実行する。予めＢＴ通信を行うデバイスを登録している場合には、ユーザ認証を省略しても良い。
【００３７】
認証が成功すると、携帯端末１００はパーソナルコンピュータ１に対してＳＩＭカード情報１０１ａの送信を開始する（ステップＳ４）。これに従って、パーソナルコンピュータ１はＳＩＭカード情報１０１ａの受信を開始する（ステップＳ５）。
【００３８】
携帯端末１００がＳＩＭカード情報１０１ａの送信を終了すると（ステップＳ６）、パーソナルコンピュータ１はＳＩＭカード情報１０１ａの受信を終了する（ステップＳ７）。
【００３９】
次に、携帯端末１００は、ＳＩＭカード１０１をロックする（ステップＳ８）。即ち、携帯端末１００はＳＩＭカード情報１０１ａを送信後は、３Ｇ通信の実行が不可となり、ＳＩＭカード１０１を用いて３Ｇ通信を行うことが出来るデバイスが複数存在する状態を防止する。パーソナルコンピュータ１は、受信したＳＩＭカード情報１０１ａをＳＩＭカード情報記憶部２４に記憶する（ステップＳ９）。
【００４０】
次に、パーソナルコンピュータ１は、ＳＩＭカード情報記憶部２４に記憶したＳＩＭカード情報１０１ａを用いて、３Ｇ通信を開始する（ステップＳ１０）。パーソナルコンピュータ１は、３Ｇ通信を終了すると（ステップＳ１１）、ＢＴ通信経由で３Ｇ通信を終了したことを示す通知を携帯端末１００へ送信する（ステップＳ１２）。
【００４１】
次に、パーソナルコンピュータ１は、記憶していたＳＩＭカード情報１０１ａをＳＩＭカード情報記憶部２４から削除する（ステップＳ１３）。即ち、ＳＩＭカード情報１０１ａを複製した状態を継続させず、３Ｇ通信を終了するとＳＩＭカード情報１０１ａを削除することで、不正な使用を防止することが出来る。ステップＳ１３に伴い、携帯端末１００では、ＳＩＭカードロックを解除する（ステップＳ１４）。
【００４２】
図５は、本実施形態におけるパーソナルコンピュータ１の通信制御手順を示すフローチャートである。
まず、ＢＴ通信部２３は、通信相手である携帯端末１００とＢＴ通信を確立する（ステップＳ１０１）。既にＢＴ通信を確立している場合にはステップＳ１０１は省略する。次に、ＣＰＵ１０は、パーソナルコンピュータ１に備えられる入力デバイスから、３Ｇ通信の開始を指示する信号を受信したか否かを判別する（ステップＳ１０２）。ステップＳ１０２で判別した結果、３Ｇ通信開始を指示する信号を受信していないと判別した場合（ステップＳ１０２のＮｏ）、ステップＳ１０２に戻る。一方、ステップＳ１０２で判別した結果、３Ｇ通信開始を指示する信号を受信したと判別した場合（ステップＳ１０２のＹｅｓ）、ＢＴ通信部２３は携帯端末１００にＳＩＭカード情報要求通知を送信する（ステップＳ１０３）。
【００４３】
次に、ＣＰＵ１０は、キーボード５やタッチパッド６から受信したユーザ認証の入力信号を用いて、ユーザ認証が成功したか否かを判別する（ステップＳ１０４）。ステップＳ１０４で判別した結果、ユーザ認証が成功していないと判別した場合（ステップＳ１０４のＮｏ）、ステップＳ１０４に戻る。即ち、ユーザ認証が成功しないとＳＩＭカード情報１０１ａの送受信は実行されない。
【００４４】
一方、ステップＳ１０４で判別した結果、ユーザ認証が成功したと判別した場合（ステップＳ１０４のＹｅｓ）、ＢＴ通信部２３はＳＩＭカード情報１０１ａをＢＴ通信により受信を開始する（ステップＳ１０５）。次に、ＢＴ通信部２３は、ＳＩＭカード情報１０１ａの受信が完了すると、ＳＩＭカード情報１０１ａをＳＩＭカード情報記憶部２４に記憶する（ステップＳ１０６）。
【００４５】
次に、３Ｇ通信部２２は、ＳＩＭカード情報記憶部２４に記憶したＳＩＭカード情報１０１ａを用いて、基地局２００との間で３Ｇ通信を確立させる（ステップＳ１０７）。次に、３Ｇ通信部２３は、データ通信や音声通話が終了すると３Ｇ通信を切断する（ステップＳ１０８）。次に、ＢＴ通信部２３は、３Ｇ通信終了の通知を携帯端末１００へ送信する（ステップＳ１０９）。次に、ＣＰＵ１０は、ＳＩＭカード情報記憶部２４に記憶したＳＩＭカード情報１０１ａを削除する（ステップＳ１１０）。以上で、パーソナルコンピュータ１の通信制御手順を終了する。
【００４６】
図６は、本実施形態における携帯端末１００の通信制御手順を示すフローチャートである。
ＢＴ通信部１０９は、通信相手であるパーソナルコンピュータ１とＢＴ通信を確立する（ステップＳ２０１）。既にＢＴ通信を確立している場合には、ステップＳ２０１は省略する。次に、ＢＴ通信部１０９は、ＳＩＭカード情報１０１ａを要求する通知を受信したか否かを判別する（ステップＳ２０２）。ステップＳ２０２で判別した結果、ＳＩＭカード情報１０１ａを要求する通知を受信していないと判別した場合（ステップＳ２０２のＮｏ）、ステップＳ２０２に戻る。一方、ＳＩＭカード情報１０１ａを要求する通知を受信したと判別した場合（ステップＳ２０２のＹｅｓ）、制御部１１０は、操作入力部１０８から受信したユーザ認証の入力信号を用いて、ユーザ認証が成功したか否かを判別する（ステップＳ２０３）。
【００４７】
ステップＳ２０３で判別した結果、ユーザ認証が成功していないと判別した場合（ステップＳ２０３のＮｏ）、ステップＳ２０３に戻る。即ち、ユーザ認証が成功しないとＳＩＭカード情報１０１ａの送信は行わない。
【００４８】
一方、ステップＳ２０３で判別した結果、ユーザ認証が成功したと判別した場合（ステップＳ２０３のＹｅｓ）、ＢＴ通信部１０９はＳＩＭカード１０１からＳＩＭカード情報１０１ａを読み出し、ＢＴ通信によりＳＩＭカード情報１０１ａの送信を開始する（ステップＳ２０４）。次に、制御部１１０は、ＳＩＭカード１０１をロック（機能を停止）する（ステップＳ２０５）。
【００４９】
次に、ＢＴ通信部１０９は、通信相手であるパーソナルコンピュータ１から３Ｇ通信終了を示す通知を受信したか否かを判別する（ステップＳ２０６）。ステップＳ２０６で判別した結果、３Ｇ通信終了を示す通知を受信していないと判別した場合（ステップＳ２０６のＮｏ）、ステップＳ２０６に戻る。ＳＩＭカード情報１０１ａを送信した装置即ちＳＩＭカード情報１０１ａの複製先の装置において３Ｇ通信が終了するまで、ＳＩＭカード１０１をロックする。
【００５０】
一方、ステップＳ２０６で判別した結果、３Ｇ通信終了を示す通知を受信したと判別した場合（ステップＳ２０６のＹｅｓ）、制御部１１０は、ＳＩＭカード１０１のロックを解除する（ステップＳ２０７）。以上で、携帯端末１００の通信制御手順を終了する。
【００５１】
以上のように、本実施の形態によれば、パーソナルコンピュータ１においてＳＩＭカード１０１を装着することなく、３Ｇ通信が可能となる。即ち、パーソナルコンピュータ１は、携帯端末１００からＢＴ通信を介して受信したＳＩＭカード情報１０１ａを利用することで、ＳＩＭカード１０１なしに３Ｇ通信を行うことが出来る。更に、３Ｇ通信を終了するとパーソナルコンピュータ１からＳＩＭカード情報１０１ａを削除するため、不正使用を防止することが出来る。
【００５２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５３】
１…パーソナルコンピュータ、２…コンピュータ本体、２ａ…本体筐体、３…ディスプレイユニット、３ａ…ディスプレイ、４…ヒンジ、５…キーボード、６…タッチパッド、７…電源スイッチ、１０…ＣＰＵ、１１…ノースブリッジ、１２…主メモリ、１３…グラフィックスコントローラ、１４…ＶＲＡＭ、１５…サウスブリッジ、１６…ＨＤＤ、１７…ＢＩＯＳ−ＲＯＭ、１８…ＥＣ／ＫＢＣ、１９…電源コントローラ、２０…バッテリ、２１…ＡＣアダプタ、２２…３Ｇ通信部、２３…ＢＴ通信部、２４…ＳＩＭカード情報記憶部、３０…ＯＳ、４０…アプリケーションプログラム、５０…通信制御プログラム、１００…携帯端末、１０１…ＳＩＭカード、１０１ａ…ＳＩＭカード情報、１０２…３Ｇ通信部、１０３…通話制御部、１０４…マイクロホン１０４、１０５…受話用スピーカ１０５、１０６…表示部、１０７…メモリ、１０８…操作入力部、１０９…ＢＴ通信部、１１０…制御部、１１１…バイブレータ、１１２…ＬＥＤ、１１３…効果音用スピーカ、１１４…呼制御モジュール。
【図１】
2012160908.tif 000003
【図２】
2012160908.tif 000004
【図３】
2012160908.tif 000005
【図４】
2012160908.tif 000006
【図５】
2012160908.tif 000007
【図６】
2012160908.tif 000008